(57)【要約】【課題】  本発明は、防滴構造を備え小型化可能なテレビコンセントに関する。【解決手段】  本発明に係る、一面Ｘに開口である穴部２１を形成した筐体１１と、一面Ｘに配設され放送波を伝送する配線系と接続するための入力端子１２と、筐体１１の他面Ｙに配設され受信機器に接続するためのテレビ端子１３とを備えるテレビコンセント１は、一面Ｘには、穴部２１と入力端子１２との間に、穴部２１の枠部における高さが入力端子１２の根元における高さよりも高い段差が設けられることを特徴とする。【選択図】      図１
2005129308.tif 000002
【特許請求の範囲】
【請求項１】
一面に開口である穴部を形成した筐体と、前記一面に配設され放送波を伝送する配線系と接続するための入力端子と、前記筐体の他面に配設され受信機器に接続するためのテレビ端子とを備えるテレビコンセントにおいて、
前記一面には、前記穴部と前記入力端子との間に、前記穴部の枠部における高さが前記入力端子の根元における高さよりも高い段差が設けられること
を特徴とするテレビコンセント。
【請求項２】
前記段差は、平面視にてコ字形状で前記穴部を取り囲んでいること
を特徴とする請求項１に記載のテレビコンセント。
【請求項３】
前記穴部には、周波数帯域を切替える切替えスイッチの操作つまみが覗き、
前記操作つまみに係合する係合部が形成され、前記操作つまみを前記筐体外部から操作可能にするための操作つまみ延長部材をさらに備え、
前記操作つまみ延長部材は、その移動範囲を制限する規制部を操作方向の両端に持つこと
を特徴とする請求項１又は請求項２に記載のテレビコンセント。
【請求項４】
前記係合部は、前記操作つまみ延長部材の長尺方向及び幅方向において非対称な位置に背面に突設される脚片であること
を特徴とする請求項３に記載のテレビコンセント。
【請求項５】
前記一面には、前記操作つまみ延長部材の操作方向を案内するガイド部が前記穴部と前記入力端子との間にさらに設けられること
を特徴とする請求項３又は請求項４に記載のテレビコンセント。
【発明の詳細な説明】
【技術分野】
【０００１】
本発明は、放送波を伝送する配線系の末端において、この配線系とテレビ受像機やチューナ等の受信機器とを接続するためのテレビコンセントに関する。
【背景技術】
【０００２】
近年、ＣＡＴＶ（ケーブルテレビジョン）において、ＣＡＴＶ局からＣＡＴＶ加入者へ番組を伝送するだけでなく、ＣＡＴＶ加入者からＣＡＴＶ局にデータ等を伝送することができる双方向システムが開発されている。この双方向ＣＡＴＶシステムにおいて、各加入者端末装置からの雑音（流合雑音）が上り回線（ＣＡＴＶ加入者からＣＡＴＶ局への回線）を経てＣＡＶＴ局で合流する結果ＣＡＴＶ局が上り信号を判別し難たくなる。そこで、ＣＡＴＶ加入者側のテレビコンセントには、通過周波数帯域を切替える切替えスイッチが備えられ、双方向ＣＡＴＶシステムの利用を望まない場合に、上り帯域をカットするように構成されている。
【０００３】
図５は、従来のテレビコンセントの概観図である。図５（Ａ）は上面図であり、図５（Ｂ）は側面図である。図６は、通過周波数帯域可変回路を示す回路図である。図６（Ａ）は全体回路図であり、図６（Ｂ）は、ハイパスフィルタの回路図である。図７は、テレビコンセントの取付け状態を説明するための図である。図８は、テレビコンセントの使用状態を説明するための図である。
【０００４】
図５において、テレビコンセント１００は、例えば金属製の略直方体形状である筐体１０１に、放送波を伝送する配線系の同軸ケーブル１０６に接続される入力端子１０２と、例えばテレビ受像機やチューナ等の受信機器に接続されるテレビ端子１０３と、ＣＡＴＶの片方向伝送と双方向伝送とにそれぞれ対応する伝送周波数帯域に通過周波数帯域を切替える切替えスイッチ１０４と、この切替えスイッチ１０４の操作つまみを筐体１０１外部から操作することができるように露出させるための穴部１０５とを備えて構成される。そして、入力端子１０２は、筐体１０１の上面に設けられ、テレビ端子１０３が筐体１０１の側面に設けられる。切替えスイッチ１０４は、例えば、スライドスイッチであり、穴部１０５は、このスライドスイッチの操作つまみが動作することができるように例えば長方形に開口されている。
【０００５】
通過周波数帯域可変回路１１１は、図６（Ａ）に示すように、切替えスイッチ１０４と、この切替えスイッチ１０４の１対の端子ａ、ｂ間に接続されるコンデンサ１１２と、切替えスイッチ１０４の１対の端子ｅ、ｆ間に接続されるハイパスフィルタ（以下、「ＨＰＦ」と略記する。）１１３とを備えて構成され、切替えスイッチ１０４の端子ｃは、入力端子１０２が接続される端子とされ、切替えスイッチ１０４の端子ｄは、テレビ端子１０３が接続される端子とされる。ＨＰＦ１１３は、図６（Ｂ）に示すように、複数の直列接続されたコンデンサ１２１（１２１−１〜１２１−５）と、この直列接続されたコンデンサの各接続端と接地との間にコンデンサ１２２（１２２−１〜１２２−３）とコイル１２３（１２３−０〜１２３−３）との直列接続がそれぞれ接続される。なお、第１コンデンサ１２１−１と第２コンデンサ１２１−２との接続端と接地との間には、コンデンサ１１２が直列接続されることなく、コイル１２３−０のみが接続される。
【０００６】
このような構成によって、上り回線を使用しない片方向ＣＡＴＶシステムを利用する場合には、ＨＰＦ１１３をオンにして、即ち、切替えスイッチ１０４の端子ｃと端子ｅとが接続され端子ｄと端子ｆとが接続されるようにして、雑音が多く含まれる周波数帯域をカットするように切替えスイッチ１０４が切替えられる。一方、双方向ＣＡＴＶシステムを利用する場合には、ＨＰＦ１１３をオフにして、即ち、切替えスイッチ１０４の端子ｃと端子ａとが接続され端子ｄと端子ｂとが接続されるようにして、１０ＭＨｚ〜５５ＭＨｚの周波数帯域の上り信号を用いることができるように切替えスイッチ１０４が切替えられる。
【０００７】
また、テレビコンセント１００は、図７及び図８に示すように、壁内において、同軸ケーブル１０６に接続される入力端子１０２が上方に向くように設置され、この場合に、テレビ端子１０３は、コンセントプレート１０７の略中央に開口している窓部１０８から壁外に臨むようになる。
【０００８】
ここで、通常、上述のようにテレビコンセント１００は、壁内に在るため雨等に直接晒されることはないが、配線系の同軸ケーブル１０６に結露した水滴が同軸ケーブル１０６を伝ってテレビコンセント１００の入力端子１０２まで流れ、さらに、テレビコンセント１００の穴部１０５に流れ込むことがある。この結果、水滴が内部の通過周波数帯域可変回路１１１を濡らしてしまいテレビコンセント１００の特性が劣化し、受信映像に悪影響を与える。このため、図５に示すように、テレビコンセント１００における筐体１０１の上面に設けられた入力端子１０２と穴部１０５との間に、水が入力端子１０２から穴部１０５へ流れることを断つように断面略コ字状の溝部１０９が筐体１０１の上面にその縁から縁まで設けられている（例えば、特許文献１）。
【特許文献１】特開２００２−１３４２１７号公報
【発明の開示】
【発明が解決しようとする課題】
【０００９】
ところで、様々な技術分野で小型化が要請されているが、テレビコンセントの技術分野でも小型化が要請されている。テレビコンセントを小型化しようとすると、入力端子と穴部との距離も必然的に短くなってしまう。その結果、上述した溝部による防滴構造では、溝部を越えて水滴が穴部に流れる場合が生じ得る。
【００１０】
本発明は、上述の事情に鑑みて為された発明であり、従来の防滴構造とは異なる防滴構造を備えたテレビコンセントを提供することを目的とする。
【課題を解決するための手段】
【００１１】
上述の目的を達成するために、本発明に係るテレビコンセントは、一面に開口である穴部を形成した筐体と、前記一面に配設され放送波を伝送する配線系と接続するための入力端子と、前記筐体の他面に配設され受信機器に接続するためのテレビ端子とを備えるテレビコンセントにおいて、前記一面には、前記穴部と前記入力端子との間に、前記穴部の枠部における高さが前記入力端子の根元における高さよりも高い段差が設けられることを特徴とする。
【００１２】
そして、上述のテレビコンセントにおいて、前記段差は、平面視にてコ字形状で前記穴部を取り囲んでいることを特徴とする。
【００１３】
また、これら上述のテレビコンセントにおいて、前記穴部には、周波数帯域を切替える切替えスイッチの操作つまみが覗き、前記操作つまみに係合する係合部が形成され、前記操作つまみを前記筐体外部から操作可能にするための操作つまみ延長部材をさらに備え、前記操作つまみ延長部材は、その移動範囲を制限する規制部を操作方向の両端に持つことを特徴とする。
【００１４】
さらに、これら上述のテレビコンセントにおいて、前記係合部は、前記操作つまみ延長部材の長尺方向及び幅方向において非対称な位置に背面に突設される脚片であることを特徴とする。
【００１５】
また、これら上述のテレビコンセントにおいて、前記一面には、前記操作つまみ延長部材の操作方向を案内するガイド部が前記穴部と前記入力端子との間にさらに設けられることを特徴とする。
【発明の効果】
【００１６】
上述の構成のテレビコンセントでは、入力端子と穴部とがある一面には、これら入力端子と穴部との間に、穴部の枠部における高さが入力端子の根元における高さよりも高い段差が設けられているので、水滴がケーブルを伝って入力端子まで流れてきたとしても、この高低差のある段差によって水滴が穴部に流れ込むことを抑制することができる。そして、本発明に係るこのような防滴構造では、従来の防滴構造のように、入力端子と穴部との間に水が入力端子から穴部へ流れることを断つような溝部を筐体の上面にその縁から縁まで設ける必要がないので、テレビコンセントをより小型に製造することができる。
【発明を実施するための最良の形態】
【００１７】
以下、本発明に係る実施形態を図面に基づいて説明する。なお、各図において同一の符号を付した構成は、同一の構成であることを示し、その説明を省略する。
（実施形態の構成）
図１は、実施形態に係るテレビコンセントの外観図である。図１（Ａ）は、図１（Ｂ）の上面図に対する左側面図であり、図１（Ｂ）は、上面図であり、図１（Ｃ）は、正面図であり、そして、図１（Ｄ）は、操作つまみ延長部材を備える場合のテレビコンセントの概観上面図である。図２は、実施形態に係るテレビコンセントの斜視図である。図２（Ａ）は、操作つまみ延長部材を備えない場合のテレビコンセントの斜視図であり、図２（Ｂ）は、操作つまみ延長部材を備える場合のテレビコンセントの斜視図である。
【００１８】
図１（Ａ）、（Ｂ）、（Ｃ）及び図２（Ａ）において、テレビコンセント１は、筐体１１と、入力端子１２と、テレビ端子１３と、切替えスイッチ１４とを備えて構成される。
【００１９】
入力端子１２は、放送波を伝送する配線系を接続するための端子であり、筐体１１の一面、例えば上面Ｘ上に配設される。入力端子１２は、配線系のケーブルの種類に応じたコネクタ形状が採用される。例えば、本実施形態では、比較的高周波の放送波を伝送するためケーブルに同軸ケーブルが採用されることから、入力端子１２は、同軸コネクタである。
【００２０】
テレビ端子１３は、例えばテレビ受像機やチューナ等の受信機器を接続するための端子であり、筐体１１の他の一面、例えば正面Ｙ上に配設される。テレビコンセント１は、従来技術で説明したように、通常壁内に設けられ、入力端子１２が壁内に壁面に略沿って布設される配線系に接続され、テレビ端子１３が壁面に臨むように設けられることから、入力端子１２が設けられる筐体１１の上面Ｘとテレビ端子１３が設けられる筐体１１の正面Ｙとは、略９０度の角度をなす。テレビ端子１３は、受信機器に使用されるケーブルの種類に応じたコネクタ形状が採用される。例えば、本実施形態では、テレビ端子１３も入力端子１２と同様に同軸コネクタである。
【００２１】
切替えスイッチ１４は、通過周波数帯域を切替えるためのスイッチである。本実施形態では、ＣＡＴＶの片方向伝送と双方向伝送との用途の切替えを行うことから、切替えスイッチ１４は、ＣＡＴＶの片方向伝送と双方向伝送とにそれぞれ対応する伝送周波数帯域に通過周波数帯域を切替えるスイッチである。
【００２２】
筐体１１は、切替えスイッチ１４やＨＰＦ等から構成される通過周波数帯域可変回路を収納するためのケースであり、例えば金属製の略直方体形状のケースである。
【００２３】
筐体１１の上面Ｘには、切替えスイッチ１４の操作つまみが覗く穴部２１が開口される。穴部２１は、穴部２１を介して操作つまみが操作されることから、操作つまみの操作方向に長尺な略長方形の形状で形成される。そして、筐体１１の上面Ｘには、上面Ｘへの平面視にて穴部２１を取り囲むようにコ字形状（Ｕ字形状）である断面コ字形状の溝部２３が形成される。なお、図１に示す例では、溝部２３は、上面Ｘへの平面視にてπ字形状の一部分としてコ字形状となっている。さらに、図１（Ｂ）や図２から分かるように、この溝部２３にかかるように入力端子１２が配設されることによって、入力端子１２と穴部２１との間に、穴部２１の枠部における高さ（穴部２１が形成される部分面Ｃの高さ）が入力端子の根元における高さ（溝部２３の底面Ｄの高さ）よりも高い段差が設けられる。穴部２１の枠部における高さ及び入力端子の根元における高さの基準面は、同一の基準面とされ、例えば、筐体１１の底面である。
【００２４】
ここで、図１（Ｂ）や図２に示す例ではコ字形状の背の部分（コ字の縦線の部分）が背面Ｚと平行になるように溝部２３が形成されているが、段差を設けるという趣旨から、コ字形状の背の部分が正面Ｘと平行になるように溝部２３が形成されてもよく、また、コ字形状の背の部分が右側面Ｗと平行になるように溝部２３が形成されてもよい。さらに、この趣旨から溝部２３は、溝部２３にかかるように入力端子１２が配設可能なロ字形状、逆Ｌ字形状又はＩ字形状でもよい。
【００２５】
本実施形態に係るテレビコンセント１は、入力端子１２と穴部２１とが在る上面Ｘには、これら入力端子１２と穴部２１との間に、穴部２１の枠部における高さが入力端子１２の根元における高さよりも高い段差が溝部２３によって設けられているので、入力端子１２に接続される同軸ケーブルを伝って水滴が入力端子１２まで流れて来たとしても、この高低差のある段差によって水滴が穴部２１に流れ込むことを抑制することができる。そして、この溝部２３は、筐体１１の上面Ｘにおける背面Ｚや正面Ｙの縁にまで達しているので、入力端子１２まで流れてきた水滴は、この溝部２３に案内されて、筐体１１の背面Ｚや正面Ｙを伝って排水され得る。さらに、このような防滴構造では、図５に示す従来の防滴構造のように、入力端子１０２（図５）と穴部１０５（図５）との間に水が入力端子１０２から穴部１０５へ流れることを断つような溝部１０９（図５）を筐体１０１（図５）の上面に右側面の縁から左側面の縁まで達するように設ける必要がないので、テレビコンセント１をより小型に製造することができる。
【００２６】
切替えスイッチ１４の操作つまみは、本実施形態では、筐体１１の内部に収容されるように形成されるが、筐体１１の外部から操作容易にする観点から、筐体１１の外部に露出するように形成してもよい。この点、本実施形態では、筐体１１の外部から操作容易にする観点から、図１（Ｄ）及び図２（Ｂ）に示すように、切替えスイッチ１４の操作つまみに係合され操作つまみを筐体１１の外部から操作可能にするための操作つまみ延長部材３１をさらに設けてもよい。図１（Ｄ）から分かるように、本実施形態の操作つまみ延長部材３１は、穴部２１を覆う大きさであるので、防滴効果をより高める機能もある。
【００２７】
図３は、操作つまみの外観図である。図３（Ａ）は、上面図であり、図３（Ｂ）は、正面図であり、図３（Ｃ）は、背面図であり、そして、図３（Ｄ）は、右側面図である。図４は、図１（Ｄ）に示すＡＡ’面における断面の一部分を示す断面図である。
【００２８】
図３において、操作つまみ延長部材３１は、肉薄の長方形の例えば樹脂性の板状部材３１１である。操作つまみ延長部材３１の板状部材３１１における上面には、手指等を引っ掛けて操作つまみ延長部材３１を移動操作するための凸片３１２が例えば長尺方向の略中央に形成され、長尺方向の両端には、移動可能な範囲を制限するための背面方向に略９０度折り曲げられた規制凸片３１１１、３１１２が形成される。そして、操作つまみ延長部材３１の板状部材３１１における背面には、切替えスイッチ１４の操作つまみと係合するための係合部を構成する４個の脚片３１３−ａ、３１３−ｂ、３１３−ｃ、３１３−ｄがそれぞれ間隔を空けて形成される。図４に示すように、切替えスイッチ１４の操作つまみ１４１は、４個の脚片３１３−ａ、３１３−ｂ、３１３−ｃ、３１３−ｄによって形成される空間に嵌合されることによって係合される。
【００２９】
ここで、筐体１１に操作つまみ延長部材３１を取り付ける場合に取り付けミスを防止する観点から、４個の脚片３１３−ａ、３１３−ｂ、３１３−ｃ、３１３−ｄは、操作つまみ延長部材３１の板状部材３１１における長尺方向においても、幅方向（長尺方向に垂直な方向）においても、非対称な位置になるように形成されている。即ち、図３に示すように、長尺方向には、４個の脚片３１３−ａ、３１３−ｂ、３１３−ｃ、３１３−ｄは、略中央に形成される凸片３１２よりも一方寄りに形成され、そして、幅方向にも一方寄りに形成される。
【００３０】
さらに長尺方向における形成位置について図４を用いて説明する。図４（Ａ）は、切替えスイッチ１４の一切替え状態における操作つまみと操作つまみ延長部材３１との関係を示す図であり（図１（Ｄ）に示す一切替え状態に相当）、図４（Ｂ）は、切替えスイッチ１４の他の切替え状態における操作つまみと操作つまみ延長部材３１との関係を示す図である。
【００３１】
図４において、切替えスイッチ１４は、プリント基板１５上に配設され、切替えスイッチ１４の操作つまみ１４１は、４個の脚片３１３−ａ、３１３−ｂ、３１３−ｃ、３１３−ｄによって形成される空間に嵌合されることによって係合される。
【００３２】
図４（Ａ）に示す、操作つまみ延長部材３１が切替えスイッチ１４の一切替え状態における操作つまみと係合する場合において、Ｌ１は、溝部２３の底面Ｄと部分面Ｃとの縁Ｔから穴部２１までの長さであり、Ｌ２及びＬ４は、脚片３１３−ｂ（脚片３１３−ｄ）の幅であり、Ｌ６は、脚片３１３−ａ（脚片３１３−ｃ）の幅であり、Ｌ５は、切替えスイッチ１４の操作つまみの幅（脚片３１３−ａと脚片３１３−ｂとの間隔、脚片３１３−ｃと脚片３１３−ｄとの間隔）であり、Ｌ７は、脚片３１３−ａから規制凸片３１１１までの内法であり、そして、Ｌ３＋Ｌ４は、切替えスイッチ１４の操作つまみの移動長である。この場合において、穴部２１の長尺方向の長さは、図４（Ａ）及び図４（Ｂ）に示すように、略Ｌ２＋Ｌ３＋Ｌ４＋Ｌ５＋Ｌ６である。操作つまみ延長部材３１の規制凸片３１１１から規制凸片３１１２までの内法は、略Ｌ１＋Ｌ２＋Ｌ３＋Ｌ４＋Ｌ５＋Ｌ６＋Ｌ７である。そして、Ｌ７は、切替えスイッチ１４が図４（Ａ）に示す一切替え状態から他の切替え状態に切替えられた場合に、図４（Ｂ）に示すように、規制凸片３１１１が溝部２３の底面Ｄと部分面Ｃとの縁Ｓ（規制凸片３１１２が当接する溝部２３の底面Ｄと部分面Ｃとの縁Ｔと対向する縁）に当接するようにその長さが決定される。
【００３３】
Ｌ１乃至Ｌ７が上述のように設定され、脚片３１３−ｂ、３１３−ｄが規制凸片３１１２の内側からＬ１＋Ｌ２＋Ｌ３の長さの位置に形成され、そして、脚片３１３−ａ、３１３−ｃが規制凸片３１１１の内側からＬ７の長さの位置に形成されることによって、テレビコンセント１の施工者等の手指によって操作つまみ延長部材３１を移動操作されたとしても、その移動操作が規制凸片３１１１、３１１２によって操作つまみの移動範囲内に制限される。このため、切替えスイッチ１４を破損することが抑制される。
【００３４】
さらに、このような操作つまみ延長部材３１をさらに設けた場合に、施工者等がこの操作つまみ延長部材３１を容易にスライド移動操作することができるようにする観点から、図１に示すように、操作つまみ延長部材３１の操作方向を案内するガイド凸片（リブ）２２を穴部２１の長尺方向と平行となるように上面Ｘに穴部２１と入力端子１２との間に穴部２１から間隔を空けてさらに設けてもよい。この間隔が脚片３１３−ａ、３１３−ｂと板状部材３１１の辺との間隔Ｍに相当する。また、このようなガイド凸片２２を設けることによって、さらに防滴効果を向上することができる。図１に示すガイド凸片２２は、穴部２１の長尺方向の長さと略同一であるが、この観点からさらに一方向又は両方向に延長してもよい。
【００３５】
なお、本実施形態では、切替えスイッチ１４は、通過周波数帯域を切替えるためのスイッチであるが、これに限定されるものではなくテレビコンセントにおける複数の機能のうちの一機能を選択するためのスイッチでよい。
【図面の簡単な説明】
【００３６】
【図１】実施形態に係るテレビコンセントの外観図である。
【図２】実施形態に係るテレビコンセントの斜視図である。
【図３】操作つまみの外観図である。
【図４】図１（Ｄ）に示すＡＡ’面における断面の一部分を示す断面図である。
【図５】従来のテレビコンセントの概観図である。
【図６】通過周波数帯域可変回路を示す回路図である。
【図７】テレビコンセントの取付け状態を説明するための図である。
【図８】テレビコンセントの使用状態を説明するための図である。
【符号の説明】
【００３７】
１、１００  テレビコンセント
１１、１０１  筐体
１２、１０２  入力端子
１３、１０３  テレビコンセント
１４、１０４  切替えスイッチ
２１、１０５  穴部
２２  ガイド凸片
２３  溝部
３１  操作つまみ延長部材
３１３  脚片
３１１１、３１１２  規制凸片
Ｃ  穴部２１が形成される部分面
Ｄ  溝部の底面
Ｓ、Ｔ  溝部の底面と部分面との縁
Ｗ  筐体の右側面
Ｘ  筐体の上面
Ｙ  筐体の正面
Ｚ  筐体の背面
【図１】
2005129308.tif 000003
【図２】
2005129308.tif 000004
【図３】
2005129308.tif 000005
【図４】
2005129308.tif 000006
【図５】
2005129308.tif 000007
【図６】
2005129308.tif 000008
【図７】
2005129308.tif 000009
【図８】
2005129308.tif 000010